(57)【特許請求の範囲】
【請求項１】
可とう継手を拡張してマンホールの削孔部に固定するために用いる拡張バンドであって、
前記拡張バンドが、少なくとも1箇所に切断部を有する環状部材と、前記切断部の両端部をしゅう動可能な状態で収めると共に拡張バンドの円周線に沿う筒状の剛性カラーとを備えており、前記拡張バンドの拡径の際、前記剛性カラー内での前記切断部の両端部のしゅう動及び前記剛性カラー内での前記切断部の両端部の固定によって前記剛性カラーが前記環状部材の両端部間の円周線の欠落を補い得、前記切断部の両端部のそれぞれに複数の固定部が設けられており、前記剛性カラー内に、前記両端部の固定部とそれぞれ係合するとともに互いを離間させるための複数の係止部が設けられており、前記複数の固定部のいずれかと前記係止部との係合によって前記環状部材が拡径状態に固定され得、前記拡張バンドによって前記可とう継手のマンホール側筒状部の周方向へのほぼ均一な拡張が得られることを特徴とする拡張バンド。
【請求項２】
可とう継手を拡張してマンホールの削孔部に固定するために用いる拡張バンドであって、
前記拡張バンドが、少なくとも1箇所に切断部を有する環状部材と、前記切断部の両端部をしゅう動可能な状態で収めると共に拡張バンドの円周線に沿う筒状の剛性カラーとを備えており、前記拡張バンドの拡径の際、前記剛性カラー内での前記切断部の両端部のしゅう動及び前記剛性カラー内での前記切断部の両端部の固定によって前記剛性カラーが前記環状部材の両端部間の円周線の欠落を補い得、前記切断部の両端部のそれぞれに固定具用留め部が設けられており、前記剛性カラーが窓を有しており、前記各固定具用留め部の間への前記窓からの固定具の挿入によって、前記環状部材が拡径状態に固定され得、前記拡張バンドによって前記可とう継手のマンホール側筒状部の周方向へのほぼ均一な拡張が得られることを特徴とする拡張バンド。
【請求項３】
マンホールの削孔部と管とが可とう継手によって接続されているマンホールの接続構造であって、
前記可とう継手が前記削孔部に固定されるマンホール側筒状部を有しており、前記マンホール側筒状部が拡張バンドによって拡径され前記削孔部に固定されており、前記拡張バンドが、少なくとも1箇所に切断部を有する環状部材と、前記切断部の両端部を収めると共に拡張バンドの円周線に沿う筒状の剛性カラーとを備えており、前記剛性カラー内での前記切断部の両端部のしゅう動及び前記剛性カラー内での前記切断部の両端部の固定によって前記剛性カラーが前記環状部材の両端部間の円周線の欠落を補い、前記拡張バンドの前記切断部の両端部のそれぞれに複数の固定部が設けられており、前記剛性カラー内に、前記両端部の固定部とそれぞれ係合するとともに互いを離間させるための複数の係止部が設けられており、前記複数の固定部のいずれかと前記係止部との係合によって前記環状部材が拡径状態に固定されており、前記拡張バンドによって前記可とう継手のマンホール側筒状部の周方向へのほぼ均一な拡張が得られていることを特徴とするマンホールの接続構造。
【請求項４】
マンホールの削孔部と管とが可とう継手によって接続されているマンホールの接続構造であって、
前記可とう継手が前記削孔部に固定されるマンホール側筒状部を有しており、前記マンホール側筒状部が拡張バンドによって拡径され前記削孔部に固定されており、前記拡張バンドが、少なくとも1箇所に切断部を有する環状部材と、前記切断部の両端部を収めると共に拡張バンドの円周線に沿う筒状の剛性カラーとを備えており、前記剛性カラー内での前記切断部の両端部のしゅう動及び前記剛性カラー内での前記切断部の両端部の固定によって前記剛性カラーが前記環状部材の両端部間の円周線の欠落を補い、前記拡張バンドの前記切断部の両端部のそれぞれに固定具用留め部が設けられており、前記剛性カラーが窓を有しており、前記各固定具用留め部の間への前記窓からの固定具の挿入によって、前記環状部材が拡径状態に固定されており、前記拡張バンドによって前記可とう継手のマンホール側筒状部の周方向へのほぼ均一な拡張が得られていることを特徴とするマンホールの接続構造。
【発明の詳細な説明】
【０００１】
【発明の属する技術分野】
本発明は、可とう継手をマンホールの削孔部に固定する方法、かかる方法に用いる拡張バンド及びかかる拡張バンドを用いることによって得られるマンホールの接続構造に関する。
【０００２】
【従来の技術】
下水道の面整備に用いられる下水管きょの方向や勾配が変わるところとか、管径が変わるところに使用されるマンホールは、マンホールと本管の接続部にコンクリートを打設し巻立てする工法が行なわれていた。しかし、地盤沈下や地震等の地盤の歪で本管とマンホールの相対的位置が変位すると、コンクリート巻立て部がひび割れたり、マンホールよりの抜出しが発生し、不明水の浸入や下水が漏水する欠点があった。
【０００３】
最近では、マンホールと本管の相対的位置が変位しても変位を吸収し止水性も維持できるゴム製の可とう継手が多く用いられるようになってきた。図７及び８は従来の可とう継手の取付状態及び拡張バンドを示す縦断面図及び部分縦断面図である。
【０００４】
【発明が解決しようとする課題】
図７に示すように、マンホール１０２に管１０３を取付角θで接続した状態でＢのようなマンホール１０２よりの管１０３の抜け出し変位が発生した場合、可とう継手１０４には局所的に引張りがかかり、拡張バンド１０５のＡ部にはせん断力が局所的にかかる。
【０００５】
また、図８に示すような切断部１０７を有する拡張バンド１０５が一般的に用いられ、拡張治具１０６等を用いて切断部１０７を拡張し、図８に示すようなくさび片１０８を切断部１０７に挿入する方法や、切断部の拡張バンド両端部にツメや係止部を設け拡径してツメを係止部に勘合し、固定する方法などが用いられている。
【０００６】
しかし、前述の管の取付角θで抜け出し変位が発生すると、拡張バンドにはせん断力が働き、拡張バンドの切断部の１方側に集中して応力がかかる場合は、拡張バンドにネジレが生じ、係止部が外れ拡張バンドの脱落がおこる。
【０００７】
上述のような現象は、地盤沈下や地震等で発生し易いが、拡張バンドに局所的にせん断力がかかっても、拡張バンドの脱落等のおきない方法が求められる。
【０００８】
本発明の課題は、可とう継手とマンホール削孔部との間に、より一層高い密着性を得ることである。
【０００９】
【課題を解決するための手段】
本発明は、可とう継手を拡張してマンホールの削孔部に固定するために用いる拡張バンドであって、前記拡張バンドが、少なくとも1箇所に切断部を有する環状部材と、前記切断部の両端部をしゅう動可能な状態で収めると共に拡張バンドの円周線に沿う筒状の剛性カラーとを備えており、前記拡張バンドの拡径の際、前記剛性カラー内での前記切断部の両端部のしゅう動及び前記剛性カラー内での前記切断部の両端部の固定によって前記剛性カラーが前記環状部材の両端部間の円周線の欠落を補い得、前記切断部の両端部のそれぞれに複数の固定部が設けられており、前記剛性カラー内に、前記両端部の固定部とそれぞれ係合するとともに互いを離間させるための複数の係止部が設けられており、前記複数の固定部のいずれかと前記係止部との係合によって前記環状部材が拡径状態に固定され得、前記拡張バンドによって前記可とう継手のマンホール側筒状部の周方向へのほぼ均一な拡張が得られることを特徴とする拡張バンドに係るものである。
【００１０】
また、本発明は、可とう継手を拡張してマンホールの削孔部に固定するために用いる拡張バンドであって、前記拡張バンドが、少なくとも1箇所に切断部を有する環状部材と、前記切断部の両端部をしゅう動可能な状態で収めると共に拡張バンドの円周線に沿う筒状の剛性カラーとを備えており、前記拡張バンドの拡径の際、前記剛性カラー内での前記切断部の両端部のしゅう動及び前記剛性カラー内での前記切断部の両端部の固定によって前記剛性カラーが前記環状部材の両端部間の円周線の欠落を補い得、前記切断部の両端部のそれぞれに固定具用留め部が設けられており、前記剛性カラーが窓を有しており、前記各固定具用留め部の間への前記窓からの固定具の挿入によって、前記環状部材が拡径状態に固定され得、前記拡張バンドによって前記可とう継手のマンホール側筒状部の周方向へのほぼ均一な拡張が得られることを特徴とする拡張バンドに係るものである。
【００１１】
さらに、本発明は、マンホールの削孔部と管とが可とう継手によって接続されているマンホールの接続構造であって、前記可とう継手が前記削孔部に固定されるマンホール側筒状部を有しており、前記マンホール側筒状部が拡張バンドによって拡径され前記削孔部に固定されており、前記拡張バンドが、少なくとも1箇所に切断部を有する環状部材と、前記切断部の両端部を収めると共に拡張バンドの円周線に沿う筒状の剛性カラーとを備えており、前記剛性カラー内での前記切断部の両端部のしゅう動及び前記剛性カラー内での前記切断部の両端部の固定によって前記剛性カラーが前記環状部材の両端部間の円周線の欠落を補い、前記拡張バンドの前記切断部の両端部のそれぞれに複数の固定部が設けられており、前記剛性カラー内に、前記両端部の固定部とそれぞれ係合するとともに互いを離間させるための複数の係止部が設けられており、前記複数の固定部のいずれかと前記係止部との係合によってか、又は前記拡張バンドの前記切断部の両端部のそれぞれに固定具用留め部が設けられており、前記剛性カラーが窓を有しており、前記各固定具用留め部の間への前記窓からの固定具の挿入によって、前記環状部材が拡径状態に固定されており、前記拡張バンドによって前記可とう継手のマンホール側筒状部の周方向へのほぼ均一な拡張が得られていることを特徴とするマンホールの接続構造に係るものである。
【００１２】
本発明者は、マンホールの削孔部に取付角を有する管を取り付ける際、マンホールの削孔部と可とう継手との接続部の密着性が十分でないことを見出した。
【００１３】
マンホールの削孔部に可とう継手を取付けても、その後、管の取付角に合わせて可とう継手の管取付口を曲げた場合、マンホールの削孔部と可とう継手の間に水密性の劣る部分が生じるのである。
【００１４】
本発明者の研究によれば、この原因は、マンホールの削孔部に可とう継手を固定するのに用いる拡張バンドにあることが分かった。
【００１５】
つまり、マンホールの接続孔に可とう継手を固定するバンドは、一般的にリング状の剛性バンドを１箇所切断し、拡張冶具で切断部を開き固定するが、拡張冶具は拡張するほど水平方向に拡張力が働くため、切断部付近の拡張バンド端部は接続孔面への圧縮応力が掛かりにくく、拡張バンド端部で拡張バンドの円周線が断絶した状態で拡張固定され、可とう継手がマンホールの接続孔面に不十分にしか密着しないのである。
【００１６】
かかる知見の下、本発明者は、可とう継手を高い密着性でマンホール削孔部に固定するため、種々の手段を検討した。
【００１７】
その結果、本発明者は、拡張バンドの切断端部を剛性のカラー内に収納し、このカラー内でしゅう動させることによって、これら切断端部の間の円周線の欠落がカラーの外周によって補われて、拡張バンドがほぼ真円に近い状態に拡径し、可とう継手をマンホールの削孔部に高い密着性で固定できることを突き止め、本発明に至った。
【００１８】
本発明では、拡張バンドは、少なくとも１箇所に切断部を有する環状部材と、前記切断部の両端部をしゅう動可能な状態で収めている剛性カラーとを備えている。
【００１９】
環状とは、環のような形のことをいい、輪、螺旋、等が含まれる。本発明にかかる環状部材の形状としては、可とう継手のマンホール側筒状部をマンホールの削孔部に密着性よく固定できる形状である。
【００２０】
本発明にかかる剛性カラーは、環状部材の切断部の両端部をしゅう動可能な状態で収納する。環状部材が拡張治具等によって拡径された場合、切断部の両端部は剛性カラー内を動き、両端部間が開く。環状部材の拡張により開いた切断部の両端部は、適切な手段によって固定される。
【００２１】
本発明によれば、所定の環状部材を拡張冶具等で拡径するだけであるので、従来のように拡張作業が容易である。また、本発明によれば、環状部材の切断部の両端部を剛性カラー内で拡張バンドの円周線に沿って移動させて環状部材を拡径することができ、環状部材の切断部を覆う剛性カラーが環状部材の外周の欠落部分を補うので、環状部材の切断部付近でもほぼ均一なマンホール削孔部への圧着力を得ることができる。
【００２２】
【発明の実施の形態】
本発明の実施の形態を説明する。
（１）マンホール
本発明は、種々のマンホール、例えば、小型マンホールや通常の１号マンホール、又はそれら以上の大きさのマンホールにも、種々の材質からなるマンホールにも、十分に適用することができる。
【００２３】
（１−１）削孔部
本発明にかかるマンホールには、管を接続するための削孔部が設けられる。かかる削孔部の孔の大きさ、形状、形成手段等は特に制限されることがない。本発明にかかる可とう継手はかかるマンホールの削孔部に固定される。
【００２４】
（２）管
本発明は、種々の管のマンホールへの接続に適用できる。かかる管としては、特に制限されることなく、種々の口径や材質、形状等からなる管を用いることができる。
【００２５】
（２）可とう継手
本発明にかかる可とう継手はマンホールの削孔部に固定されるマンホール側筒状部を有する。本発明では、筒状とは、外周部と外周部に囲まれた内部空間を有する形状をいう。内部空間は、断面で見て、円形、三角形、四角形等の多角形、種々に変形し得る形状のものでよい。筒状には、円筒が含まれる。
【００２６】
かかる可とう継手は、従来から用いられる種々の継手でよく、また、種々の材料から形成することができる。かかる材料としては、例えば、天然ゴム、合成ゴム、軟質プラスチック、熱可塑性エラストマー等の弾性材料等からなる群より選ばれる少なくとも１種の材料を挙げることができる。
【００２７】
（３）拡張バンド
本発明の拡張バンドは、可とう継手を拡張してマンホールの削孔部に固定するために用いる。かかる拡張バンドは、少なくとも１箇所に切断部を有する環状部材と、この切断部をしゅう動可能な状態で収める剛性カラーとを備える。
【００２８】
（４）環状部材
本発明にかかる環状部材は、少なくとも１箇所に切断部を有する。かかる環状部材は、拡張バンドの本体をなし、拡張バンド本来の機能を発揮する。
【００２９】
かかる環状部材の切断部の両端部は、拡張バンドの拡張の際、剛性カラー内でしゅう動する。また、かかる環状部材の切断部の両端部の固定によって環状部材が拡張状態で固定される。
【００３０】
（４−１）環状部材の拡張
本発明では、特に制限されることなく、ジャッキ等の拡張装置、種々の拡張手段を用いて環状部材を拡張することができる。
【００３１】
（４−２）環状部材の固定
拡張によって開いた環状部材の切断部の両端部は、特に制限されない適切な手段によって拡張状態を維持するように固定することができる。
【００３２】
適切な固定手段は、例えば、環状部材に設けられる爪等の突起部等の固定部、剛性カラーに設けられる係止部、環状部材に設けられる固定具用留め部とストッパー等のような固定具との組合せを挙げることができる。
【００３３】
環状部材の切断部の両端部に固定部を設け、この固定部と係合する係止部を剛性カラー内に設け、固定部と係止部との係合によって環状部材を拡張した状態で固定することができる。
【００３４】
また、環状部材の切断部の両端部に固定具用留め部を設け、剛性カラーに固定具を挿入するための窓を設け、この窓から固定具用留め部の間へ固定具を挿入することによって、環状部材を拡張した状態で固定することができる。
【００３５】
かかる固定手段は、前述したような硬質樹脂、プラスチック、腐食し難い金属類等から形成することができる。
【００３６】
本発明にかかる環状部材、環状部材に設けられる爪等の突起部等の固定部や固定具用留め部は、硬質塩化ビニル樹脂、ＡＢＳ樹脂〔アクリロニトリルとブタジエンとスチレンの（三元）共重合体からなる樹脂〕、ＰＥＴ（ポリエチレンテレフタレート）樹脂、等の樹脂、ナイロン等、及び種々のプラスチックからなる群より選ばれる少なくとも１種の材料、又は防錆処理鋼、ステンレス鋼等、腐食し難い金属類等からなる群より選ばれる少なくとも１種の材料から形成することができる。
【００３７】
（５）剛性カラー
本発明にかかる剛性カラーは、拡張バンドの拡張の際、剛性カラー内での環状部材の切断部のしゅう動を可能にする。
【００３８】
また、かかる剛性カラーは、環状部材の切断部の端部を固定する係止部を設けることによって、環状部材を拡張状態で固定する働きを担うことができる。
【００３９】
このように、本発明にかかる剛性カラーは、その内部で、環状部材の拡張に伴う切断端部の移動を可能とする一方、その外周で、拡張バンドの周方向へのほぼ均一な拡張を可能とする。
【００４０】
本発明にかかる剛性カラーや、剛性カラーに設けられる係止部は、前述したような樹脂、ナイロン、プラスチック、腐食し難い金属類等から形成することができる。
【００４１】
（６）マンホールの接続構造
本発明のマンホールの接続構造は、マンホールの削孔部と管とを可とう継手によって接続するに際し、前述する拡張バンドによって可とう継手をマンホールの削孔部に固定することで施工することができる。
【００４２】
かかるマンホールの接続構造では、可とう継手のマンホール側筒状部が拡張バンドによって拡張されマンホールの削孔部に固定される。
【００４３】
可とう継手の管への接続には、通常のように、可とう継手の管側筒状部を管に固定することで行なうことができる。
【００４４】
本発明のマンホールの接続構造では、剛性カラー内での環状部材の切断部のしゅう動及び固定によって拡張バンドが拡張状態で固定されており、可とう継手のマンホール側筒状部がマンホールの削孔部方向へほぼ均一に拡張しているので、極めて高い水密性を有する。
【００４５】
図面を参照して、本発明をより一層詳細に説明する。
図１は、本発明の１例の拡張バンドを示す斜視図である。図２は図１の拡張バンドの正面図である。図３は図２の拡張バンドを拡張装置で拡張する状態を示す正面図である。図４は本発明の他の例の拡張バンドを示す正面図である。図５は本発明の更に他の例の拡張バンドを示す斜視図である。図６は本発明の１例のマンホール構造の縦断面図である。
【００４６】
本発明においては、マンホール接続孔に可とう継手を剛性バンドで拡張固定する場合に、図１〜５に示す拡張バンドを用いることができる。
【００４７】
図１は本発明の１例の拡張バンド１を示している。図１では、拡張バンド１が拡張するようすを拡大して示す。環状部材２の切断部３は両端部３ａ，３ｂ共に剛性カラー４の中央部にあり、環状部材２のバンド係止爪５ａ，５ｂと剛性カラー４のカラー係止爪６ａ，６ｂとが剛性カラー４内で係合している。図２は図１の拡張バンド１の正面図であり、拡張バンド１の全体を示す。
【００４８】
図３は図２の拡張バンド１を拡張装置で拡張する場合を示す。ジャッキ７の一方側には軸受け台座８が、他方側には拡張治具９に連結されるジャッキ台座１０が設けられている。軸受け台座８は拡張バンド１にあてがわれ、拡張治具９の拡張係止部１１，１２は拡張バンド１の拡張支持部１３，１４に係止される。
【００４９】
ジャッキ７をジャッキアップすることにより、拡張係止部１１，１２の間が拡がり、拡張バンド１が拡張及び拡径され、バンド係止爪５ａ，５ｂとカラー係止爪６ａ，６ｂとがそれぞれ係合して、拡張バンド１が拡張状態で固定される。
【００５０】
図１〜３に示すように、拡張バンド１の環状部材２には、切断部３が設けられており、切断部３の両端部３ａ，３ｂは、剛性カラー４の両端部より内部に挿入されている。
【００５１】
拡張バンド１は、図３に示すように、ジャッキ７及び拡張冶具９で拡張した時には、図１に詳細に示すように、環状部材２の両端部３ａ，３ｂは剛性カラー４で繋がった状態で剛性カラー４内の空間に沿って移動し、その間隔を拡げる。
【００５２】
このように、拡張バンド１は、拡張バンドの円周線を確保した状態で拡張することができ、接続孔への均一な圧縮応力が得られることで、マンホールの削孔部と可とう継手との間で優れた水密性を得ることができる。
【００５３】
本発明では、図１に詳細に示すように、環状部材２の両端部３ａ，３ｂ付近にバンド係止爪５ａ，５ｂのような固定部を設け、剛性カラー４内にカラー係止爪６ａ，６ｂのような係止部を設け、拡張時に両者を係合することにより、環状部材２を容易に拡張固定することができる。
【００５４】
図４は本発明の他の例の拡張バンド２１が、２箇所の切断部２３ａ，２３ｂにおいて拡張する状態を示す。
【００５５】
このように、剛性カラー２４を用いた拡張バンド２１に２箇所の切断部２３ａ，２３ｂを設ける場合、各々に拡張冶具２９ａ，２９ｂを取付け、ジャッキ２７で同時に２つの切断部２３ａ，２３ｂを拡張するとともに、環状部材２２の両端部を剛性カラー２４内で固定することができる。
【００５６】
２箇所以上の切断部を有する拡張バンドは、削孔径の大きいマンホールに可とう継手を固定する場合に有用である。マンホールの接続孔が大きいと、拡張バンドの円周が長くなり、１箇所の切断部の拡張バンドではバンド全周を均一に広げることが難しくなるからである。
【００５７】
なお、図４において、環状部材２２、剛性カラー２４、ジャッキ２７、拡張治具２９ａ，２９ｂ、ジャッキ台座３０ａ，３０ｂや、拡大図としては示さないバンド係止爪２５ａ，２５ｂ、カラー係止爪、拡張係止部、拡張支持部等は、図１〜３と同様のものである。
【００５８】
図５は本発明の更に他の例の拡張バンド４１を示すもので、剛性カラー４４は中央部の内周側に窓５５を有する。窓５５からは、剛性カラー４４の中央部に、環状部材４２の切断部４３が見える。切断部４３の両端部４３ａ，４３ｂにはストッパー止め部４５ａ，４５ｂが相対する位置に設けられている。
【００５９】
この例の拡張バンド４１では、拡張支持部５３，５４間を拡張してストッパー止め部４５ａ，４５ｂ間を拡げたときに、これらの間に、ストッパー４６を窓５５から挿入し、拡張バンド４１を拡張した状態で固定することができる。この結果前述の拡張バンドと同様な効果が得られる。
【００６０】
図６は本発明の１例のマンホール接続構造６１を示すもので、マンホール６２の削孔部６２ａと管６３とが可とう継手６４によって接続されている。可とう継手６４は削孔部６２ａに固定されるマンホール側筒状部６５を有しており、マンホール側筒状部６５は拡張バンド１によって拡張され、削孔部６２ａに固定されている。
【００６１】
拡張バンド１は、図１に示すように、少なくとも１箇所に切断部３を有する環状部材２と、切断部３の両端部３ａ，３ｂを収めている剛性カラー４とを備えている。環状部材２は、剛性カラー４内での切断部３の両端部３ａ，３ｂのしゅう動及び切断部３の両端部３ａ，３ｂの固定によって拡張状態で固定されている。
【００６２】
図６では、管６３は取付角θでマンホール６２の削孔部６２ａに取り付けられる。可とう継手６４の管側筒状部６６を管６３の取付角θ方向に曲げても、マンホール側筒状部６５は拡張バンド１によって高い密着性でマンホール６２の削孔部６２ａに固定されるので、マンホール接続構造についての漏水や不明水の侵入等の問題がない。
【００６３】
【発明の効果】
本発明によれば、所定の環状部材を拡張冶具等で拡径するだけであるので、従来のように拡張作業が容易である。
【００６４】
また、本発明によれば、環状部材の切断部の両端部を剛性カラー内で拡張バンドの円周線に沿って移動させて環状部材を拡径することができ、環状部材の切断部を覆う剛性カラーが環状部材の外周の欠落部分を補うので、環状部材の切断部付近でもほぼ均一なマンホール削孔部への圧着力を得ることができる。
【図面の簡単な説明】
【図１】  本発明の１例の拡張バンドを示す斜視図である。
【図２】  図１の拡張バンドの正面図である。
【図３】  図２の拡張バンドを拡張装置で拡張する状態を示す正面図である。
【図４】  本発明の他の例の拡張バンドを示す正面図である。
【図５】  本発明の更に他の例の拡張バンドを示す斜視図である。
【図６】  本発明の１例のマンホール構造の縦断面図である。
【図７】  従来の可とう継手の取付状態を示す縦断面図である。
【図８】  従来の可とう継手の拡張バンドを示す部分縦断面図である。
【符号の説明】
１，２１，４１  拡張バンド
２，２２，４２  環状部材
３，２３，４３  切断部
３ａ，３ｂ，４３ａ，４３ｂ  両端部
４，２４，４４  剛性カラー
５ａ，５ｂ  バンド係止爪
６ａ，６ｂ  カラー係止爪
７  ジャッキ
８  軸受け台座
９  拡張治具
１０  ジャッキ台座
１１，１２  拡張係止部
１３，１４、５３，５４  拡張支持部
４５ａ，４５ｂ  ストッパー止め部
４６  ストッパー
５５  窓
６１  マンホール接続構造
６２  マンホール
６２ａ  削孔部
６３  管
６４  可とう継手
６５  マンホール側筒状部
６６  管側筒状部
【図１】
0004070488.tif 000002
【図２】
0004070488.tif 000003
【図３】
0004070488.tif 000004
【図４】
0004070488.tif 000005
【図５】
0004070488.tif 000006
【図６】
0004070488.tif 000007
【図７】
0004070488.tif 000008
【図８】
0004070488.tif 000009